(57)【要約】【課題】本発明は、ＩＨクッキングヒーターから発生する排気をレンジフードに誘導する装置に係り、排気誘導装置をＩＨクッキングヒーターの後方上面に立設して、ＩＨクッキングヒーターの排気を効率よく室外に排出するようにしたものである。【解決手段】ＩＨクッキングヒーターの横幅とほぼ同じ横幅であって下方のケーシングとケーシングの後面に連続する上方の板状部とからなる排気誘導装置を形成し、ケーシングにファンを内装して誘導気流を発生させると共に、ＩＨクッキングヒーターの電子部品等を冷却した冷却空気の排気路をケーシング内に設けて、誘導気流と冷却排気流とによりＩＨクッキングヒーターからの排気を誘引して、これらを板状部のコアンダ効果により上方に確実に導くようにした。【選択図】図２
2007225225.tif 000002
【特許請求の範囲】
【請求項１】
ＩＨクッキングヒーター使用時の排気を誘引して上方に導くためのＩＨクッキングヒーター用排気誘導装置において、ＩＨクッキングヒーターは内部に電子部品等を冷却するための冷却ファン及び冷却空気の通路を備えると共に、後方上面に冷却空気給気口及び冷却空気排気口を備え、排気誘導装置はＩＨクッキングヒーターの横幅とほぼ同じ横幅であって下方のケーシングとケーシングの後面に連続する上方の板状部とからなり、ＩＨクッキングヒーターの後方上面に立設すると共に、ケーシング内に回転軸を水平としたファンを内装し、ケーシングに冷却空気取入口を設けて冷却空気取入口と冷却空気給気口とをケーシング内の冷却空気給気路及びケーシング底面に設けた冷却空気給気用開口部を介して連通し、ケーシングの下方に誘導気流吸込口及びケーシングの上面に誘導気流吹出口を設けて誘導気流をファンにより発生させ、ケーシングの上面に冷却排気吹出口を設けて冷却排気吹出口と冷却空気排気口とをケーシング内の冷却空気排気路及びケーシング底部に設けた冷却空気排気用開口部を介して連通し、誘導気流吹出口からの誘導気流及び冷却排気吹出口からの冷却排気流によりＩＨクッキングヒーターからの排気を誘引して板状部のコアンダ効果により上方に誘導することを特徴とするＩＨクッキングヒーター用排気誘導装置。
【請求項２】
ＩＨクッキングヒーター使用時の排気を誘引して上方に導くためのＩＨクッキングヒーター用排気誘導装置において、ＩＨクッキングヒーターは内部に電子部品等を冷却するための冷却ファン及び冷却空気の通路を備えると共に、後方上面に冷却空気排気口を備え、排気誘導装置はＩＨクッキングヒーターの横幅とほぼ同じ横幅であって下方のケーシングとケーシングの後面に連続する上方の板状部とからなり、ＩＨクッキングヒーターの後方上面に立設すると共に、ケーシング内に回転軸を水平としたファンを内装し、ケーシングの下方に誘導気流吸込口及びケーシングの上面に誘導気流吹出口を設けて誘導気流をファンにより発生させ、ケーシングの上面に冷却排気吹出口を設けて冷却排気吹出口と冷却空気排気口とをケーシング内の冷却空気排気路及びケーシング底部に設けた冷却空気排気用開口部を介して連通し、誘導気流吹出口からの誘導気流及び冷却排気吹出口からの冷却排気流によりＩＨクッキングヒーターからの排気を誘引して板状部のコアンダ効果により上方に誘導することを特徴とするＩＨクッキングヒーター用排気誘導装置。
【請求項３】
ＩＨクッキングヒーター使用時の排気を誘引して上方に導くためのＩＨクッキングヒーター用排気誘導装置において、ＩＨクッキングヒーターは内部に電子部品等を冷却するための冷却ファン及び冷却空気の通路を備えると共に、後方上面に冷却空気給気口及び冷却空気排気口を備え、排気誘導装置はＩＨクッキングヒーターの横幅とほぼ同じ横幅であって下方のケーシングとケーシングの後面に連続する上方の板状部とからなり、ＩＨクッキングヒーターの後方上面に立設すると共に、ケーシングに冷却空気取入口を設けて冷却空気取入口と冷却空気給気口とをケーシング内の冷却空気給気路及びケーシング底面に設けた冷却空気給気用開口部を介して連通し、ケーシングの上面に冷却排気吹出口を設けて冷却排気吹出口と冷却空気排気口とをケーシング内の冷却空気排気路及びケーシング底部に設けた冷却空気排気用開口部を介して連通し、冷却ファンにより電子部品等を冷却した冷却空気を冷却排気吹出口から冷却排気流として吹出して、この冷却排気流によりＩＨクッキングヒーターからの排気を誘引して板状部のコアンダ効果により上方に誘導することを特徴とするＩＨクッキングヒーター用排気誘導装置。
【請求項４】
ＩＨクッキングヒーター使用時の排気を誘引して上方に導くためのＩＨクッキングヒーター用排気誘導装置において、排気誘導装置はＩＨクッキングヒーターの横幅とほぼ同じ横幅であって下方のケーシングとケーシングの後面に連続する上方の板状部とからなり、ＩＨクッキングヒーターの後方の調理台上に立設すると共に、ケーシング内に回転軸を水平としたファンを内装し、ケーシングの下方に誘導気流吸込口及びケーシングの上面に誘導気流吹出口を設けて誘導気流をファンにより発生させ、誘導気流吹出口からの誘導気流によりＩＨクッキングヒーターからの排気を誘引して板状部のコアンダ効果により上方に誘導することを特徴とするＩＨクッキングヒーター用排気誘導装置。
【請求項５】
誘導気流吸込口をケーシングの下方前面に設けたことを特徴とする請求項１、２又は４に記載のＩＨクッキングヒーター用排気誘導装置。
【請求項６】
冷却空気取入口をケーシングの下方後面に設けたことを特徴とする請求項１、３、４又は５に記載のＩＨクッキングヒーター用排気誘導装置。
【請求項７】
排気誘導装置はＩＨクッキングヒーターの後方上面に前方に回動可能に固定され、回動して水平に位置させることによりＩＨクッキングヒーターの調理部を覆う蓋となる大きさに形成したことを特徴とする請求項１、２、３、５又は６に記載のＩＨクッキングヒーター用排気誘導装置。
【請求項８】
板状部には断熱性材料からなる突起を前方に向けて複数設けたことを特徴とする請求項７に記載のＩＨクッキングヒーター用排気誘導装置。
【請求項９】
板状部の上端部に上方に延長可能な延長壁面板を連結し、延長壁面板の上端をＩＨクッキングヒーターの上方に設けられたレンジフードの開口近くに位置させたことを特徴とする請求項１〜８のいずれかに記載のＩＨクッキングヒーター用排気誘導装置。
【請求項１０】
延長壁面板は板状部及びケーシングの上部の後面にスライドして重ね合せることが可能なスライド収納手段を備えていることを特徴とする請求項９記載のＩＨクッキングヒーター用排気誘導装置。
【請求項１１】
ケーシングの高さ方向寸法は５〜３０ｃｍであり、板状部の高さ方向寸法は２０〜５０ｃｍであり、ケーシング及び板状部の合計の高さ方向寸法は４５〜７０ｃｍであることを特徴とする請求項１〜１０のいずれかに記載のＩＨクッキングヒーター用排気誘導装置。
【発明の詳細な説明】
【技術分野】
【０００１】
本発明は、ＩＨクッキングヒーター（電磁誘導加熱調理器）の使用時に発生する汚染空気、汚染水蒸気、油煙などの排気を誘引して上方に導くためのＩＨクッキングヒーター用排気誘導装置に係り、特にＩＨクッキングヒーターの横幅とほぼ同じ横幅であって下方のケーシングとケーシングの後面に連続する上方の板状部とからなる排気誘導装置をＩＨクッキングヒーターの後方上面又はＩＨクッキングヒーターの後方の調理台上に立設して、排気の誘引及びコアンダ効果により汚染空気の誘導を効率よく行うようにした装置に関するものである。
【背景技術】
【０００２】
従来、図１４及び図１５に示す局所換気装置が知られている（例えば、特許文献１参照）。図１４は正面図、図１５は図１４のＹ線断面図である。この局所換気装置は、３つの誘導気流発生装置１０１の吹出ノズル１０２にガイド板１０３がそれぞれ設けられている。
ガイド板１０３は、各吹出ノズル１０２の吹出開口１０４から吸込排気流発生部１０５の各吸込開口１０６に向けてそれぞれ延びて設けられ、吹出ノズル１０２の吹出開口１０４から吹出される吹出誘導気流１０７を吸込開口１０６の内部に誘導するようにしている。
そして、ガスコンロを備えた燃焼加熱式調理機器１０８の調理台１０９の下方中央部に設けられた吹出ファン１１０からの室内空気を誘導気流ダクト１１１により吹出ノズル１０２に導くようにしている。
【０００３】
図１４及び図１５において、１１２は吸込排気流発生部１０５に設けられた排気ファン、１１３は排気ダクト、１１４は排気ボックス、１１５は排気流、１１６は排気フード、１１７は給気ファンで室外空気を吸込み、給気ダクト１１８、給気ボックス１１９を介して給気開口１２０から室内に給気するようにしている。１２１は給気流、１２２は天井である。
【０００４】
また、従来、図１６に示すレンジフード装置が知られている（例えば、特許文献２参照）。このレンジフード装置は、レンジ１３１に設けられた焼き物器１３２、ガスコンロ１３３及びオーブン１３４と、コアンダ作用板１３５、背板１３６、レンジフード１３７、蓋１３８及び排気ファン１３９からなり、焼き物器１３２からの排ガスを排ガス通路１４０によりレンジフード１３７に導くと共に、ガスコンロ１３３で発生した排ガスをコアンダ作用板１３５によるコアンダ効果によりレンジフード１３７に導くようにしたものである。
【特許文献１】ＷＯ２００４／０７２５５８号  公報
【特許文献２】特開昭６０−１８６６３７号  公報
【発明の開示】
【発明が解決しようとする課題】
【０００５】
図１４及び図１５に示す局所換気装置は、調理台１０９の内部に誘導気流発生装置１０１を組込んで誘導気流ダクト１１１を介して吹出ノズル１０２から吹出誘導気流１０７を吹出すようにした大掛かりな装置であり、多額の設置工事費が必要となる問題があった。また、ガイド板１０３を設けてコアンダ効果により排ガスを排気フード１１６に導くようにしているが、ガイド板１０３の横幅が狭く有効なコアンダ効果を発揮することができない問題もあった。
【０００６】
また、図１６に示すレンジフード装置は、コアンダ作用板１３５によりガスコンロ１３３で発生した排ガスをコアンダ効果によりレンジフード１３７に導くようにしているが、ガスコンロ１３７周りの空気流（風）により、排ガスがコアンダ作用板１３５に導かれずに室内に拡散するという問題があった。
しかも、図１４〜図１６に示される従来の装置は、いずれもガスコンロの排気を対象としたものであり、ＩＨクッキングヒーターの排気を処理するためのＩＨクッキングヒーター用としての特有の構成については開示されていない。
【０００７】
本発明は、このような従来の構成が有していた問題を解決しようとするものであり、ＩＨクッキングヒーター（電磁誘導加熱調理器）の使用時に発生する汚染空気、汚染水蒸気、油煙などの排気を誘引して上方に導くためのＩＨクッキングヒーター用排気誘導装置であって、ＩＨクッキングヒーターの横幅とほぼ同じ横幅であって下方のケーシングとケーシングの後面に連続する上方の板状部とからなる排気誘導装置をＩＨクッキングヒーターの後方上面又はＩＨクッキングヒーターの後方の調理台上に立設して、ＩＨクッキングヒーターからの排気を誘引してコアンダ効果により上方に誘導するようにすることを目的としている。
【課題を解決するための手段】
【０００８】
請求項１に係る本発明は、ＩＨクッキングヒーター使用時の排気を誘引して上方に導くためのＩＨクッキングヒーター用排気誘導装置において、ＩＨクッキングヒーターは内部に電子部品等を冷却するための冷却ファン及び冷却空気の通路を備えると共に、後方上面に冷却空気給気口及び冷却空気排気口を備え、排気誘導装置はＩＨクッキングヒーターの横幅とほぼ同じ横幅であって下方のケーシングとケーシングの後面に連続する上方の板状部とからなり、ＩＨクッキングヒーターの後方上面に立設すると共に、ケーシング内に回転軸を水平としたファンを内装し、ケーシングに冷却空気取入口を設けて冷却空気取入口と冷却空気給気口とをケーシング内の冷却空気給気路及びケーシング底面に設けた冷却空気給気用開口部を介して連通し、ケーシングの下方に誘導気流吸込口及びケーシングの上面に誘導気流吹出口を設けて誘導気流をファンにより発生させ、ケーシングの上面に冷却排気吹出口を設けて冷却排気吹出口と冷却空気排気口とをケーシング内の冷却空気排気路及びケーシング底面に設けた冷却空気排気用開口部を介して連通し、誘導気流吹出口からの誘導気流及び冷却排気吹出口からの冷却排気流によりＩＨクッキングヒーターからの排気を誘引して板状部のコアンダ効果により上方に誘導するようにしたＩＨクッキングヒーター用排気誘導装置である。
【０００９】
請求項２に係る本発明は、ＩＨクッキングヒーター使用時の排気を誘引して上方に導くためのＩＨクッキングヒーター用排気誘導装置において、ＩＨクッキングヒーターは内部に電子部品等を冷却するための冷却ファン及び冷却空気の通路を備えると共に、後方上面に冷却空気排気口を備え、排気誘導装置はＩＨクッキングヒーターの横幅とほぼ同じ横幅であって下方のケーシングとケーシングの後面に連続する上方の板状部とからなり、ＩＨクッキングヒーターの後方上面に立設すると共に、ケーシング内に回転軸を水平としたファンを内装し、ケーシングの下方に誘導気流吸込口及びケーシングの上面に誘導気流吹出口を設けて誘導気流をファンにより発生させ、ケーシングの上面に冷却排気吹出口を設けて冷却排気吹出口と冷却空気排気口とをケーシング内の冷却空気排気路及びケーシング底面に設けた冷却空気排気用開口部を介して連通し、誘導気流吹出口からの誘導気流及び冷却排気吹出口からの冷却排気流によりＩＨクッキングヒーターからの排気を誘引して板状部のコアンダ効果により上方に誘導するようにしたＩＨクッキングヒーター用排気誘導装置である。
【００１０】
請求項３に係る本発明は、ＩＨクッキングヒーター使用時の排気を誘引して上方に導くためのＩＨクッキングヒーター用排気誘導装置において、ＩＨクッキングヒーターは内部に電子部品等を冷却するための冷却ファン及び冷却空気の通路を備えると共に、後方上面に冷却空気給気口及び冷却空気排気口を備え、排気誘導装置はＩＨクッキングヒーターの横幅とほぼ同じ横幅であって下方のケーシングとケーシングの後面に連続する上方の板状部とからなり、ＩＨクッキングヒーターの後方上面に立設すると共に、ケーシングに冷却空気取入口を設けて冷却空気取入口と冷却空気給気口とをケーシング内の冷却空気給気路及びケーシング底面に設けた冷却空気給気用開口部を介して連通し、ケーシングの上面に冷却排気吹出口を設けて冷却排気吹出口と冷却空気排気口とをケーシング内の冷却空気排気路及びケーシング底面に設けた冷却空気排気用開口部を介して連通し、冷却ファンにより電子部品等を冷却した冷却空気を冷却排気吹出口から冷却排気流として吹出して、この冷却排気流によりＩＨクッキングヒーターからの排気を誘引して板状部のコアンダ効果により上方に誘導するようにしたＩＨクッキングヒーター用排気誘導装置である。
【００１１】
請求項４に係る本発明は、ＩＨクッキングヒーター使用時の排気を誘引して上方に導くためのＩＨクッキングヒーター用排気誘導装置において、排気誘導装置はＩＨクッキングヒーターの横幅とほぼ同じ横幅であって下方のケーシングとケーシングの後面に連続する上方の板状部とからなり、ＩＨクッキングヒーターの後方の調理台上に立設すると共に、ケーシング内に回転軸を水平としたファンを内装し、ケーシングの下方に誘導気流吸込口及びケーシングの上面に誘導気流吹出口を設けて誘導気流をファンにより発生させ、誘導気流吹出口からの誘導気流によりＩＨクッキングヒーターからの排気を誘引して板状部のコアンダ効果により上方に誘導するようにしたＩＨクッキングヒーター用排気誘導装置である。
【００１２】
請求項５に係る本発明は、請求項１、２又は４に係る本発明の構成に加え、さらに、誘導気流吸込口をケーシングの下方前面に設けたＩＨクッキングヒーター用排気誘導装置である。
【００１３】
請求項６に係る本発明は、請求項１、３、４又は５に係る本発明の構成に加え、さらに、冷却空気取入口をケーシングの下方後面に設けたＩＨクッキングヒーター用排気誘導装置である。
【００１４】
請求項７に係る本発明は、請求項１、２、３、５又６に係る本発明の構成に加え、さらに、排気誘導装置はＩＨクッキングヒーターの後方上面に前方に回動可能に固定され、回動して水平に位置させることによりＩＨクッキングヒーターの調理部を覆う蓋となる大きさに形成したＩＨクッキングヒーター用排気誘導装置である。
【００１５】
請求項８に係る本発明は、請求項７に係る本発明の構成に加え、さらに、板状部には断熱性材料からなる突起を前方に向けて設けたＩＨクッキングヒーター用排気誘導装置である。
【００１６】
請求項９に係る本発明は、請求項１〜８のいずれかに係る本発明の構成に加え、さらに、板状部の上端部に上方に延長可能な延長壁面板を連結し、延長壁面板の上端をＩＨクッキングヒーターの上方に設けられたレンジフードの開口近くに位置させたＩＨクッキングヒーター用排気誘導装置である。
【００１７】
請求項１０に係る発明は、請求項９に係る本発明の構成に加え、さらに、延長壁面板は板状部及びケーシングの上部の後面にスライドして重ね合せることが可能なスライド収納手段を備えているＩＨクッキングヒーター用排気誘導装置である。
【００１８】
請求項１１に係る本発明は、請求項１〜１０のいずれかに係る本発明の構成に加え、さらに、ケーシングの高さ方向寸法は５〜３０ｃｍであり、板状部の高さ方向寸法は２０〜５０ｃｍであり、ケーシング及び板状部の合計の高さ方向寸法は４５〜７０ｃｍであるＩＨクッキングヒーター用排気誘導装置である。
【００１９】
本発明による作用を以下に説明する。
請求項１に係る本発明の作用は、排気誘導装置を冷却空気供給口及び冷却空気排気口が設けられているＩＨクッキングヒーターの後方上面に立設して、排気誘導装置のケーシング上面に設けた誘導気流吹出口からの誘導気流及び冷却排気吹出口からの冷却排気流によりＩＨクッキングヒーターからの排気を誘引して板状部のコアンダ効果により排気を上方に導くのである。
【００２０】
請求項２に係る本発明の作用は、排気誘導装置を冷却空気排気口が設けられているＩＨクッキングヒーターの後方上面に立設して、排気誘導装置のケーシング上面に設けた誘導気流吹出口からの誘導気流及び冷却排気吹出口からの冷却排気流によりＩＨクッキングヒーターからの排気を誘引して板状部のコアンダ効果により排気を上方に導くのである。
【００２１】
請求項３に係る本発明の作用は、排気誘導装置を冷却空気供給口及び冷却空気排気口が設けられているＩＨクッキングヒーターの後方上面に立設すると共にＩＨクッキングヒーターに設けられている冷却ファンにより、排気誘導装置のケーシング上面に設けた冷却排気吹出口からの冷却排気流を噴出して、この冷却排気流によりＩＨクッキングヒーターからの排気を誘引して板状部のコアンダ効果により排気を上方に導くのである。
【００２２】
請求項４に係る本発明の作用は、排気誘導装置のケーシング上面に設けた誘導気流吹出口からの誘導気流によりＩＨクッキングヒーターからの排気を誘引して板状部のコアンダ効果により排気を上方に導くのである。
【００２３】
請求項５に係る本発明の作用は、請求項１、２又は４に係る本発明の作用に加え、さらに、ケーシングの下方前面に設けた誘導気流吸込口からＩＨクッキングヒーターからの排気の一部を吸込むのである。
【００２４】
請求項６に係る本発明の作用は、請求項１、３、４又は５に係る本発明の作用に加え、さらに、ケーシングの下方後面に設けた冷却空気取入口からＩＨクッキングヒーターの排気の混合の少ない室内空気を取り入れるのである。
【００２５】
請求項７に係る本発明の作用は、請求項１、２、３、５又は６に係る本発明の作用に加え、さらに、ＩＨクッキングヒーターの不使用時に、排気誘導装置を回動して水平に位置させることによりＩＨクッキングヒーターの調理部を覆う蓋とするのである。
【００２６】
請求項８に係る本発明の作用は、請求項７に係る本発明の作用に加え、さらに、板状部に設けた断熱性材料からなる突起により、ＩＨクッキングヒーターの使用直後に排気誘導装置を蓋にしたときに蓋が高温となるのを防止するようにしている。
【００２７】
請求項９に係る本発明の作用は、請求項１〜８のいずれかに係る本発明の作用に加え、さらに、延長壁面板によりＩＨクッキングヒーターの上方に設けられたレンジフードの開口にＩＨクッキングヒーターの排気を導くことができる。
【００２８】
請求項１０に係る本発明の作用は、請求項９に係る本発明の作用に加え、延長壁面板をスライドしてケーシングに重ね合わせるようにしている。
【００２９】
請求項１１に係る本発明の作用は、請求項１〜１０のいずれかに係る本発明の作用に加え、ケーシングの高さ方向寸法及び板状部の高さ方向寸法をＩＨクッキングヒーターの排気を導くのに妥当な大きさとしている。
【発明の効果】
【００３０】
請求項１に係る本発明は、ＩＨクッキングヒーター使用時の排気を誘引して上方に導くためのＩＨクッキングヒーター用排気誘導装置において、ＩＨクッキングヒーターは内部に電子部品等を冷却するための冷却ファン及び冷却空気の通路を備えると共に、後方上面に冷却空気給気口及び冷却空気排気口を備え、排気誘導装置はＩＨクッキングヒーターの横幅とほぼ同じ横幅であって下方のケーシングとケーシングの後面に連続する上方の板状部とからなり、ＩＨクッキングヒーターの後方上面に立設すると共に、ケーシング内に回転軸を水平としたファンを内装し、ケーシングに冷却空気取入口を設けて冷却空気取入口と冷却空気給気口とをケーシング内の冷却空気給気路及びケーシング底面に設けた冷却空気給気用開口部を介して連通し、ケーシングの下方に誘導気流吸込口及びケーシングの上面に誘導気流吹出口を設けて誘導気流をファンにより発生させ、ケーシングの上面に冷却排気吹出口を設けて冷却排気吹出口と冷却空気排気口とをケーシング内の冷却空気排気路及びケーシング底面に設けた冷却空気排気用開口部を介して連通し、誘導気流吹出口からの誘導気流及び冷却排気吹出口からの冷却排気流によりＩＨクッキングヒーターからの排気を誘引して板状部のコアンダ効果により上方に誘導するようにしたから、簡単な構成の排気誘導装置をＩＨクッキングヒーターの後方上面に立設することによりＩＨクッキングヒーターからの排気を効率よく確実に上方に導くことができるのである。
また、請求項１に係る本発明は、排気誘導装置は横幅をＩＨクッキングヒーターの横幅とほぼ同じ横幅にし、下方のケーシング内にファンを内装しているので、コンパクトな構成でありながらＩＨクッキングヒーターの調理部の全面からの排気を誘引することができる。
さらに、請求項１に係る本発明は、ＩＨクッキングヒーターの電子部品等を冷却した冷却排気流及びファンによる誘導気流によりＩＨクッキングヒーターからの排気を誘導するので、冷却排気流を活用することができると共に、冷却排気流によるＩＨクッキングヒーター周辺の汚染をなくすることができる。
【００３１】
請求項２に係る本発明は、ＩＨクッキングヒーター使用時の排気を誘引して上方に導くためのＩＨクッキングヒーター用排気誘導装置において、ＩＨクッキングヒーターは内部に電子部品等を冷却するための冷却ファン及び冷却空気の通路を備えると共に、後方上面に冷却空気排気口を備え、排気誘導装置はＩＨクッキングヒーターの横幅とほぼ同じ横幅であって下方のケーシングとケーシングの後面に連続する上方の板状部とからなり、ＩＨクッキングヒーターの後方上面に立設すると共に、ケーシング内に回転軸を水平としたファンを内装し、ケーシングの下方に誘導気流吸込口及びケーシングの上面に誘導気流吹出口を設けて誘導気流をファンにより発生させ、ケーシングの上面に冷却排気吹出口を設けて冷却排気吹出口と冷却空気排気口とをケーシング内の冷却空気排気路及びケーシング底面に設けた冷却空気排気用開口部を介して連通し、誘導気流吹出口からの誘導気流及び冷却排気吹出口からの冷却排気流によりＩＨクッキングヒーターからの排気を誘引して板状部のコアンダ効果により上方に誘導するようにしたから、簡単な構成の排気誘導装置をＩＨクッキングヒーターの後方上面に立設することによりＩＨクッキングヒーターからの排気を効率よく確実に上方に導くことができるのである。
また、請求項２に係る本発明は、排気誘導装置は横幅をＩＨクッキングヒーターの横幅とほぼ同じ横幅にし、下方のケーシング内にファンを内装しているので、コンパクトな構成でありながらＩＨクッキングヒーターの調理部の全面からの排気を誘引することができる。
さらに、請求項２に係る本発明は、ＩＨクッキングヒーターの電子部品等を冷却した冷却排気流及びファンによる誘導気流によりＩＨクッキングヒーターからの排気を誘導するので、冷却排気流を活用することができると共に、冷却排気流によるＩＨクッキングヒーター周辺の汚染をなくすることができる。
【００３２】
請求項３に係る本発明は、ＩＨクッキングヒーター使用時の排気を誘引して上方に導くためのＩＨクッキングヒーター用排気誘導装置において、ＩＨクッキングヒーターは内部に電子部品等を冷却するための冷却ファン及び冷却空気の通路を備えると共に、後方上面に冷却空気給気口及び冷却空気排気口を備え、排気誘導装置はＩＨクッキングヒーターの横幅とほぼ同じ横幅であって下方のケーシングとケーシングの後面に連続する上方の板状部とからなり、ＩＨクッキングヒーターの後方上面に立設すると共に、ケーシングに冷却空気取入口を設けて冷却空気取入口と冷却空気給気口とをケーシング内の冷却空気給気路及びケーシング底面に設けた冷却空気給気用開口部を介して連通し、ケーシングの上面に冷却排気吹出口を設けて冷却排気吹出口と冷却空気排気口とをケーシング内の冷却空気排気路及びケーシング底面に設けた冷却空気排気用開口部を介して連通し、冷却ファンにより電子部品等を冷却した冷却空気を冷却排気吹出口から冷却排気流として吹出して、この冷却排気流によりＩＨクッキングヒーターからの排気を誘引して板状部のコアンダ効果により上方に誘導するようにしたから、簡単な構成の排気誘導装置をＩＨクッキングヒーターの後方上面に立設することによりＩＨクッキングヒーターからの排気を効率よく確実に上方に導くことができるのである。
また、請求項３に係る本発明は、排気誘導装置は横幅をＩＨクッキングヒーターの横幅とほぼ同じ横幅にし、ＩＨクッキングヒーターの電子部品等を冷却した冷却排気流によりＩＨクッキングヒーターからの排気を誘導するので、コンパクトな構成でありながら冷却排気流を活用して、ＩＨクッキングヒーターの調理部の全面からの排気を誘引することができる共に、冷却排気流によるＩＨクッキングヒーター周辺の汚染をなくすることができる。
さらに、請求項３に係る本発明は、ＩＨクッキングヒーターのファンを利用しているので、排気誘導装置内にファンを設ける必要が無く、安価に製作することができる。
【００３３】
請求項４に係る本発明は、ＩＨクッキングヒーター使用時の排気を誘引して上方に導くためのＩＨクッキングヒーター用排気誘導装置において、排気誘導装置はＩＨクッキングヒーターの横幅とほぼ同じ横幅であって下方のケーシングとケーシングの後面に連続する上方の板状部とからなり、ＩＨクッキングヒーターの後方の調理台上に立設すると共に、ケーシング内に回転軸を水平としたファンを内装し、ケーシングの下方に誘導気流吸込口及びケーシングの上面に誘導気流吹出口を設けて誘導気流をファンにより発生させ、誘導気流吹出口からの誘導気流によりＩＨクッキングヒーターからの排気を誘引して板状部のコアンダ効果により上方に誘導するようにしたから、簡単な構成の排気誘導装置をＩＨクッキングヒーターの後方の調理台上に立設することによりＩＨクッキングヒーターからの排気を効率よく確実に上方に導くことができるのである。
また、請求項４に係る本発明は、排気誘導装置は横幅をＩＨクッキングヒーターの横幅とほぼ同じ横幅にし、下方のケーシング内にファンを内装しているので、コンパクトな構成でありながらＩＨクッキングヒーターの調理部の全面からの排気を誘引することができる。
【００３４】
請求項５に係る本発明は、請求項１、２又は４に係る本発明の効果に加え、誘導気流吸込口をケーシングの下方前面に設けたから、ＩＨクッキングヒーターの排気の一部を誘導気流吸込口から吸込むことができ、ＩＨクッキングヒーターの排気を一層効率よく上方に導くことができるのである
【００３５】
請求項６に係る本発明は、請求項１、３、４又は５に係る本発明の効果に加え、冷却空気取入口をケーシングの下方後面に設けたから、ＩＨクッキングヒーターの排気の混合の少ない室内空気を取り入れてＩＨクッキングヒーターの電子部品等を冷却するので、ＩＨクッキングヒーター内部を汚染することがない。
【００３６】
請求項７に係る本発明は、請求項１、２、３、５又は６に係る本発明の効果に加え、排気誘導装置はＩＨクッキングヒーターの後方上面に前方に回動可能に固定され、回動して水平に位置させることによりＩＨクッキングヒーターの調理部を覆う蓋となる大きさに形成したから、ＩＨクッキングヒーターの不使用時に、排気誘導装置を回動して水平に位置させることによりＩＨクッキングヒーターの調理部を覆う蓋とすることができ、調理面の汚れや排気誘導装置が目障りとならない。
【００３７】
請求項８に係る本発明は、請求項７に係る本発明の効果に加え、板状部には断熱性材料からなる突起を前方に向けて設けたから、ＩＨクッキングヒーターの使用直後に排気誘導装置を蓋にしたときに蓋が高温となるのを防止して不注意による手の火傷をなくすことができる。
【００３８】
請求項９に係る本発明は、請求項１〜８のいずれかに係る本発明の効果に加え、板状部の上端部に上方に延長可能な延長壁面板を連結し、延長壁面板の上端をＩＨクッキングヒーターの上方に設けられたレンジフードの開口近くに位置させたから、ＩＨクッキングヒーターからの排気をレンジフードに確実に吸込ませることができる。
【００３９】
請求項１０に係る本発明は、請求項９に係る本発明の効果に加え、延長壁面板は板状部及びケーシングの上部の後面にスライドして重ね合せることが可能なスライド収納手段を備えているから、延長壁面板の不使用時に目障りにならない。また、回動方式ではなくスライド方式であるから不使用時に重ね合わせるためのスペースが不要である。
【００４０】
請求項１１に係る本発明は、請求項１〜１０のいずれかに係る本発明の効果に加え、ケーシングの高さ方向寸法は５〜３０ｃｍであり、板状部の高さ方向寸法は２０〜５０ｃｍであり、ケーシング及び板状部の合計の高さ方向寸法は４５〜７０ｃｍであるから、ケーシングの高さ方向寸法及び板状部の高さ方向寸法をＩＨクッキングヒーターの排気を導くのに妥当な大きさとすることができる。
【発明を実施するための最良の形態】
【００４１】
以下、本発明の実施の形態を添付した図面により詳細に説明する。
図１〜図５は、本発明の第一の実施の形態を示す図面であり、図１は概略を示す側面図、図２は図１におけるＩＨクッキングヒーター及びＩＨクッキングヒーター用排気誘導装置に係る部分の拡大図、図３は図２におけるＩＨクッキングヒーター用排気誘導装置を水平位置まで回動してＩＨクッキングヒーターの蓋とした状態の側面図、図４はＩＨクッキングヒーター用排気誘導装置に係る図２におけるＡ矢視図、図５はＩＨクッキングヒーター用排気誘導装置及びＩＨクッキングヒーターの天板部に係る図３におけるＢ矢視図である。
図６〜図９は本発明の第三の実施の形態を示す図面であり、図１０〜図１３は本発明の第四の実施の形態を示す図面である。
【００４２】
図１〜図５に基づき、本発明の第一の実施の形態に係るＩＨクッキングヒーター用排気誘導装置について説明する。
図１において、１はＩＨクッキングヒーター用排気誘導装置であり、ＩＨクッキングヒーター３１使用時に発生する汚染空気、汚染水蒸気、油煙などの排気を誘引して上方に導くためのものであり、ＩＨクッキングヒーター３１の調理部３２の後方上面に立設している。ＩＨクッキングヒーター３１は調理台３３に組込まれた電磁誘導加熱式の調理器であり、いわゆるビルトインタイプである。
【００４３】
ＩＨクッキングヒーター３１の上方にレンジフード５１が設けられており、レンジフード５１は開口５２、フィルタ５３、遠心式ファン５４、電動機５５、室外排気フード５６等を備えた排気装置５７と一体に構成している。
なお、図１において、５８は建物の壁面、５９は建物の床面である。
【００４４】
ＩＨクッキングヒーター３１は、図示していないが、内部に電子部品等を冷却するための冷却ファン及び冷却空気の通路並びにグリルを備えており、図５に示すように調理部３２にＩＨヒーター３４及びラジエントヒーター３５を備えると共に、調理部３２の後方上面に冷却空気供給口３６及び冷却空気排気口３７並びにグリル排気口３８を備えている。
【００４５】
図２〜図５において、ＩＨクッキングヒーター用排気誘導装置１は、ＩＨクッキングヒーター３１の横幅とほぼ同じ横幅であって下方のケーシング２とケーシング２の後面に連続する上方の板状部３とから構成し、ＩＨクッキングヒーター３１の調理部３２の後方上面に水平支持軸４による回動可能な支持手段５を介して適宜の固定手段により固定しており、図２に示すように上端が後方斜めに位置するように立設可能とし、図３に示すように支持手段５により回動して水平に位置させることによりＩＨクッキングヒーター３１の調理部３２を覆う蓋となる大きさとしている。
ケーシング２及び板状部３は、いずれもステンレススチール製である。
【００４６】
ケーシング２内には、回転軸を水平としたクロスフロー式のファン６及び電動機７を内装しており、ケーシング２の下方後面に冷却空気取入口８を設けると共に、ケーシング２の下方前面の断面円弧状の凸部９に誘導気流吸込口１０を設け、ケーシング２の上面に誘導気流吹出口１１を設けて、誘導気流吸込口１０からＩＨクッキングヒーター３１の調理部３２周辺の空気を吸込んでファン６により誘導気流を発生させ、誘導気流吹出口１１から吹出すようにしている。
【００４７】
ケーシング２の下方後面に設けた冷却空気取入口８とＩＨクッキングヒーター３１の調理部３２の後方上面に設けた冷却空気供給口３６とをケーシング２内の冷却空気給気路１２及びケーシング２の底面に設けた冷却空気給気用開口部１３を介して連通することにより、ＩＨクッキングヒーター３１の排気の混合の少ない室内空気を取り入れてＩＨクッキングヒーター３１の電子部品等の冷却をするようにしている。これによりＩＨクッキングヒーター３１の内部を汚染することをなくしている。冷却空気給気用開口部１３は上記凸部９の下方に形成している。
ケーシング２の上面に冷却排気吹出口１４を設けて、冷却排気吹出口１４とＩＨクッキングヒーター３１の調理部３２の後方上面に設けた冷却空気排気口３７とをケーシング２内の冷却空気排気路１５及びケーシング２の底面に設けた冷却空気排気用開口部１６を介して連通している。冷却空気排気用開口部１６はケーシング２の下方を断面円弧状の凸部１７に形成してその底面に設けている
【００４８】
ケーシング２の下方には、図４に示すように、ＩＨクッキングヒーター３１のグリル排気口３８をケーシング２によって塞がないように、断面円弧状の凸部は設けておらず、グリル排気口３８からのグリル排気３９はケーシング２の前面を上方に流れるようにしている。
ケーシング２内は、適宜の仕切板１８によりファン設置室１９と電動機設置室２０とを仕切り、また、ファン設置室１９と冷却空気排気路１５とを適宜の仕切板２１により仕切っている。
【００４９】
ＩＨクッキングヒーター用排気誘導装置１は、図３に示すように、ＩＨクッキングヒーター３１の調理部３２を覆う蓋となるようにして、ＩＨクッキングヒーター３１の不使用時に、調理部３２の汚れやＩＨクッキングヒーター用排気誘導装置１が目障りにならないようにしている。
また、板状部３の上方に耐熱ゴムからなる突起２２を２個設けている。この突起２２は、図３に示すようにＩＨクッキングヒーター３１の使用直後にＩＨクッキングヒーター用排気誘導装置１をＩＨクッキングヒーター３１の調理部３２の蓋として使用したとき、蓋が高温となるのを防止して不注意による手の火傷をなくすためのものである。
この突起２２は２個設けているが、上方中央部に１個でもよく、耐熱ゴムに代えて耐熱合成樹脂でもよく、断熱性材料であればよい。
【００５０】
以上のように構成した本発明の第一の実施の形態に係るＩＨクッキングヒーター用排気誘導装置の作用について以下に説明する。
ＩＨクッキングヒーター３１のＩＨヒーター３４、ラジエントヒーター３５及びグリルのいずれかを使用して調理をする場合、図２に示すようにＩＨクッキングヒーター用排気誘導装置１を立設させ、ＩＨクッキングヒーター３１の電源スイッチをＯＮにして電動機７を駆動しファン６を作動させる。
【００５１】
ケーシング２の前方下方に設けられた誘導気流吸込口１０からＩＨクッキングヒーター３１の調理部３２の周辺の排気の一部がファン６によりケーシング２内に吸込まれて誘導気流吹出口１１から誘導気流２３として吹出される。
また、同時にケーシング２の冷却空気取入口８から吸込まれ、ケーシング２内の冷却空気供給路１２、冷却空気供給用開口部１３を介してＩＨクッキングヒーター３１の冷却空気供給口３６からＩＨクッキングヒーター３１の内部に設けられたファンにより吸込まれ電子部品等を冷却して、冷却空気排気口３７からケーシング２の冷却空気排気用開口部１６、冷却空気排気路１５を介して冷却排気吹出口１４から冷却排気流２４として吹出される。
【００５２】
そして、ケーシング２の上面に設けた誘導気流吹出口１１からの誘導気流２３及び冷却排気吹出口１４からの冷却排気流２４によりＩＨクッキングヒーター３１からの排気３９を誘引して板状部３のコアンダ効果により上方に誘導するのである。
また、グリル排気口３８からのグリル排気３９もケーシング２の前面を上昇し、誘導気流２３及び冷却排気流２４により誘引して、板状部３のコアンダ効果により上方に誘導するのである。
【００５３】
板状部３の上端に到達した排気を誘引した誘導気流２３及び冷却排気流２４はレンジフード５１から排気装置５７により室外に排出されるのである。
板状部３の上端とレンジフード５１の開口５２とが離れている場合、誘導気流２３及び冷却排気流２４を確実にレンジフード５１に導くため、図１に示すように、レンジフード５１に誘導板６０を付設し、回動支点６１により下方に回動して下端を板状部３の上端近くに固定できかつ水平に回動して開口５２の蓋にできるようにしてもよい。
【００５４】
以上の第一の実施の形態では、クロスフロー式のファン６を用いているが遠心式などの他の形式のファンを用いてもよい。また、ケーシング２の下方前面に誘導気流吸込口１０を設けたが、ケーシング２の下方後面に設けてよい。また、ケーシング２の下方後面に冷却空気取入口８を設けたが、ケーシング２の下方前面に設けてもよい。
また、ＩＨクッキングヒーター用排気誘導装置１は回動可能としてＩＨクッキングヒーター３１の調理部３２を覆う蓋となるようにしたが、回動できない立設固定式にしてもよい。
【００５５】
さらに、板状部３には突起２２を設けたが、設けなくてもよい。また、板状部３の上端には回動するための適宜の取っ手を設けてもよい。
ＩＨクッキングヒーター用排気誘導装置１の高さ方向寸法は４５〜７０ｃｍで、ケーシング２の高さ方向寸法を５〜３０ｃｍ、板状部３の高さ方向寸法を２０〜５０ｃｍの範囲から適宜選択するのである。
【００５６】
次に、本発明の第二の実施の形態に係るＩＨクッキングヒーター用排気誘導装置について説明する。第二の実施の形態は、第一の実施の形態におけるＩＨクッキングヒーター３１の冷却空気供給口３６の設ける位置を調理部３２の後方上面に代えて例えばＩＨクッキングヒーター３１の前面底面に設けるのである。
この第二の実施の形態では、第一の実施の形態におけるＩＨクッキングヒーター用排気誘導装置１のケーシング２に設けた冷却空気取入口８、冷却空気供給路１２及び冷却空気供給用開口部１３を省略するのである。
第二の実施の形態は以上の説明を除き、第一の実施の形態と同様であり、その作用も第一の実施の形態と同様である。
【００５７】
次に、本発明の第三の実施の形態に係るＩＨクッキングヒーター用排気誘導装置について、図６〜図９に基づき説明する。
図６はＩＨクッキングヒーター及びＩＨクッキングヒーター用排気誘導装置に係る部分を示す図、図７はＩＨクッキングヒーター用排気誘導装置に係る図６におけるＣ矢視図、図８はＩＨクッキングヒーター用排気誘導装置に係る図６におけるＤ矢視図、図９はＩＨクッキングヒーターの天板部に係る図６におけるＥ矢視図である。
【００５８】
第三の実施の形態は、ケーシング２内に誘導気流を発生させるためのファン及び電動機を設けずに、ＩＨクッキングヒーター３１内に設けた遠心式の冷却ファン４０による冷却排気流２４によってＩＨクッキングヒーター３１からの排気を誘導するようにした点で上記の第一の実施の形態と相違する。
以下、第一の実施の形態と相違する点について詳細に説明し、第一の実施の形態と同じ点については説明を省略する。
【００５９】
ＩＨクッキングヒーター用排気誘導装置１は、下方のケーシング２の後面に連続する上方の板状部３とから構成し、ケーシング２はファン及び電動機を内装していないため、厚さの薄い扁平な形状としており、下方前面に２つの断面円弧状の凸部９、１７を設けており、これら凸部９、１７の間はフラットにして、グリル排気３９の通路としている。
【００６０】
ケーシング２の下方後面に設けた冷却空気取入口８とＩＨクッキングヒーター３１の調理部３２の後方上面に設けた冷却空気供給口３６とをケーシング２内の冷却空気給気路１２及びケーシング２の上記凸部９の底面に設けた冷却空気供給用開口部１３を介して連通している。
ケーシング２の上面に設けた冷却空気排気吹出口１４とＩＨクッキングヒーター３１の調理部３２の後方上面に設けた冷却空気排気口３７とをケーシング２内の冷却空気排気路１５及びケーシング２の上記凸部１７の底面に設けた冷却空気排気用開口部１６を介して連通している。
冷却空気排気路１５は、図７において左側に片寄って設けた冷却空気排気用開口部１６からケーシング２の上面中央部に設けた冷却空気排気吹出口１４に至るように仕切板２５を設けて案内している。
【００６１】
ＩＨクッキングヒーター３１の内部には、図６に示すように遠心式の冷却ファン４０及び電動機４１を設けている。
冷却ファン４０の吹出側を冷却空気排気口３７の近くに設けることにより、冷却ファンの吹出側で電子部品等の冷却を行う場合に生ずるＩＨクッキングヒーターからの冷却空気の洩れをなくすことができ、ＩＨクッキングヒーターの排気が混合した室内空気を吸込んでＩＨクッキングヒーター周りを洩れにより汚染することを防止することができる。
【００６２】
通常のＩＨクッキングヒーターの電子部品等の冷却では、冷却ファン及び電動機の耐熱性の制約から冷却ファン及び電動機を冷却空気供給口の近くに設けて高温となる前の室内空気を吸込んでいたが、この実施の形態では、冷却排気流２４によりＩＨクッキングヒーター３１の排気を誘引するため、冷却空気の量を通常の２〜３倍としているため、電子部品等を冷却後の空気温度の上昇が少なくなり、耐熱性の問題が生じないのである。
この第三の実施の形態では、ケーシング２にファン及び電動機を内装しないので、排気誘導装置１を第一の実施の形態に比し、一層コンパクトで安価に製作することができる。
【００６３】
次に、本発明の第四の実施の形態に係るＩＨクッキングヒーター用排気誘導装置について、図１０〜図１３に基づき説明する。
図１０はＩＨクッキングヒーター及びＩＨクッキングヒーター用排気誘導装置に係る部分を示す図、図１１は図１０の延長壁面板をスライドして収納した状態を示す図、図１２はＩＨクッキングヒーター用排気誘導装置を直立させた図、図１３は図１２のＦ矢視図である。
【００６４】
第四の実施の形態は、ＩＨクッキングヒーター用排気誘導装置をＩＨクッキングヒーターの後方上面に代えてＩＨクッキングヒーターの後方の調理台上に立設する点で、上記の第一の実施の形態と相違する。
以下、第一の実施の形態と相違する点について詳細に説明し、第一の実施の形態と同じ点については説明を省略する。
【００６５】
図１０及び図１１において、ＩＨクッキングヒーター３１は、第一の実施の形態と同様であり、説明を省略する。
図１０〜図１３において、ＩＨクッキングヒーター用排気誘導装置１は、ＩＨクッキンＩＨクッキングヒーター３１の横幅とほぼ同じ横幅であって下方のケーシング２、ケーシング２の後面に連続する上方の板状部３及び延長壁面板２６とから構成し、ＩＨクッキングヒーター３１の後方の調理台３３の上面に水平支持軸４による回動可能な支持手段５を介して適宜の固定手段により固定しており、図１０に示すように板状部３の上端が後方斜めに位置し、延長壁面板２６の上端がやや前方斜めに位置するように立設している。
【００６６】
ケーシング２内には、回転軸を水平としたクロスフロー式のファン６及び電動機７を内装しており、ケーシング２の前面側の底面中央部に誘導気流吸込口１０を設け、ケーシング２の上面中央部に誘導気流吹出口１１を設けて、誘導気流吸込口１０からＩＨクッキングヒーター３１の調理部３２周辺の排気の一部を吸込んでファン６により誘導気流２３を発生させ、誘導気流吹出口１１から吹出すようにしている。
【００６７】
延長壁面板２６は、図１０及び図１２に示すように、板状部３の上端に支持軸を備えた支持部２７を設けて、延長壁面板２６の下端部を回動可能に支持固定している。
また、延長壁面板２６の両側部には支持部２７の支持軸に係合する係合溝２８を設けて、図１２の状態から図１１の状態に延長壁面板２６をスライドして板状部３及びケーシング２の上部の後面に重ね合せることが可能なスライド収納手段２９を形成している。
【００６８】
板状部３の上端には、幅方向全体に断面翼型で前方に膨出するガイド部３０を設けて、誘導気流吹出口１１から吹出された誘導気流２３及び誘引されたＩＨクッキングヒーター３１の排気をコアンダ効果により板状部３を上昇させ、板状部３の上端から延長壁面板２６に案内するようにしている。
延長壁面板２６の上端近くには図示しないレンジフードが開口しており、誘導気流２３及びＩＨクッキングヒーター３１の排気はレンジフードに吸込まれ、室外に排気されるのである。
【００６９】
以上の第四の実施の形態では、誘導気流吸込口１０をケーシング２の前面側の底面中央部に設けたが、ケーシング２の下方であれば、下方前面でも、下方後面でもよい。
また、延長壁面板２６を設け、さらに、スライド収納手段２９を備えているが、スライド収納手段２９は無くてもよく、延長壁面板２６も無くてもよい。延長壁面板２６が無い場合、第一の実施の形態で説明した図１の誘導板６０を備えたレンジフード５１を用いることができる。
【００７０】
なお、第四の実施の形態では、延長壁面板２６をスライドして板状部３及びケーシング２の上部の後面に重ね合せることが可能なスライド収納手段２９を用いているが、第一〜第三の実施の形態に適用することができるのはもちろんである。
【図面の簡単な説明】
【００７１】
【図１】本発明の第一の実施の形態に係るＩＨクッキングヒーター用排気誘導装置の概略を示す側面図。
【図２】図１におけるＩＨクッキングヒーター及びＩＨクッキングヒーター用排気誘導装置に係る部分の拡大図。
【図３】図２におけるＩＨクッキングヒーター用排気誘導装置を水平位置まで回動してＩＨクッキングヒーターの蓋とした状態の側面図。
【図４】ＩＨクッキングヒーター用排気誘導装置に係る図２におけるＡ矢視図。
【図５】ＩＨクッキングヒーター用排気誘導装置及びＩＨクッキングヒーターの天板部に係る図３におけるＢ矢視図。
【図６】本発明の第三の実施の形態に係るＩＨクッキングヒーター及びＩＨクッキングヒーター用排気誘導装置に係る部分を示す側面図。
【図７】ＩＨクッキングヒーター用排気誘導装置に係る図６におけるＣ矢視図。
【図８】ＩＨクッキングヒーター用排気誘導装置に係る図６におけるＤ矢視図。
【図９】ＩＨクッキングヒーターの天板部に係る図６におけるＥ矢視図。
【図１０】本発明の第四の実施の形態に係るＩＨクッキングヒーター及びＩＨクッキングヒーター用排気誘導装置に係る部分を示す側面図。
【図１１】図１０の延長壁面板をスライドして収納した状態を示す図。
【図１２】図１０のＩＨクッキングヒーター用排気誘導装置を直立させて図。
【図１３】図１２のＦ矢視図。
【図１４】従来の局所換気装置を示す正面図。
【図１５】図１４のＹ線断面図。
【図１６】従来のレンジフード装置を示す図。
【符号の説明】
【００７２】
１      ＩＨクッキングヒーター用排気誘導装置
２      ケーシング
３      板状部
６      ファン
８      冷却空気取入口
１０    誘導気流吸込口
１１    誘導気流吹出口
１２    冷却空気供給路
１３    冷却空気供給用開口部
１４    冷却排気吹出口
１５    冷却空気排気路
１６    冷却空気排気用開口部
２３    誘導気流
２４    冷却排気流
２６    延長壁面部
２９    スライド収納手段
３１    ＩＨクッキングヒーター
３３    調理台
３６    冷却空気供給口
３７    冷却空気排気口
４０    冷却ファン
【図１】
2007225225.tif 000003
【図２】
2007225225.tif 000004
【図３】
2007225225.tif 000005
【図４】
2007225225.tif 000006
【図５】
2007225225.tif 000007
【図６】
2007225225.tif 000008
【図７】
2007225225.tif 000009
【図８】
2007225225.tif 000010
【図９】
2007225225.tif 000011
【図１０】
2007225225.tif 000012
【図１１】
2007225225.tif 000013
【図１２】
2007225225.tif 000014
【図１３】
2007225225.tif 000015
【図１４】
2007225225.tif 000016
【図１５】
2007225225.tif 000017
【図１６】
2007225225.tif 000018